(57)【要約】【課題】低圧３０Ｖ以下の直流電気の配線を誰でもが簡単に組合せで敷設でき、電圧も目視で確認でき誤接続の防止が可能となる。【解決手段】平板二枚を中心部で折り曲げた折り板１と、同じ形状に折り曲げた底板２に電極（＋）４と電極（−）３を電極固定金具５で貫通固定し折り板１をＵ字形状に接合する、折り板１側面一方向にケーブル固定金具６を固定し電線（＋）７電線（−）８を電極に接合し電線接続器具１０を構成する、この電線接続器具１０を用いて一定の、直線接続ケーブル１２、機器接続ケーブル１３、分岐接続器具１１等の配線資材を提供し、これらの組合せにより素早く誰でもが簡単に配線が構成でき、折り板１の形状違いと色分けにより電圧の選別ができ、誤配線、誤接続の防止ができる。【選択図】図１
2013191410.tif 000002
【特許請求の範囲】
【請求項１】
同じ形状の平板二枚を合わせ中心部で一定形状に折り曲げた折り板と、平板と同じ形状に折り曲げた底板にＵ字形状の電極（＋）を折り曲げ部の近辺両側に同一間隔で二ヶ所と折り曲げ部から両外側の内側に同一間隔でＵ字形状の電極（−）を二ヶ所共に電極固定金具を用いて貫通固定する、折り板二枚と底板を結合しＵ字形状を形成、折り板側面の一方向にケーブル固定金具を固定しケーブル固定金具取り付のケーブルの電線を電極固定金具に接続、この同一形状同士は互いのＵ字形状空間に折り板を挿入すると互いの電極同士は接続状態となる、他の形状とは結合できない為誤接続防止ができる事を特徴とする電線接続器具。
【請求項２】
折り曲げ形状はＶ字形状、逆Ｖ字形状、Ｍ字形状、Ｗ字形状等折り曲げ部より左右対称の形状とし、折り曲げ形状ごとに色を決め使用電圧も決めると、使用している電圧が目視できる事を特徴とする電線接続器具。
【請求項３】
請求項１の電線接続器具を用いて所定の長さのケーブル両端に取り付けた直線接続ケーブルと、前記の電線接続器具を用いて所定の長さのケーブル片側に取り付けた機器接続ケーブルと、前記の電線接続器具数個を用いて電極（＋）同士と電極（−）同士結合した分岐接続器具を提供し、誰でもが簡単に組合せ配線ができる事を特徴とする電線接続器具。
【発明の詳細な説明】
【技術分野】
【０００１】
本発明は、直流専用の配線をケーブル等で敷設する時点で、ケーブル同士或いは機器類を接続する作業が簡単に且つ使用する電圧の選別ができ、極性も間違いなく接続できる、電線接続器具に関するものである。
【背景技術】
【０００２】
住居、事務所、工場等に現在使用されている商用電源の配線とは別に、直流専用で低圧３０Ｖ以下の電気を使用できるように誰でもが簡単に配線を敷設できる様にすることである。
【０００３】
しかし、直流電気で低圧の主流は直流２４Ｖと直流１２Ｖであり機器によってはその他の電圧を使用している場合もあり、直流の電圧を選択する問題点と直流には極性（＋）側と（−）側があり接続を間違えると機器などの破損につながる欠点があり、接続部分では目視で電圧が確認できる事と、接続には必ず極性間違いが起きない方法が必要であった。
【０００４】
直流の電気はバッテリー等に充電でき必要な時に使用できる事から、日中太陽光パネルで発電しバッテリーに充電この電気を夜間に活用することである、直流で点灯できる消費電力の少ない効率の良い照明器具を使用する事により長時間の使用も可能である、予め必要と思われる場所に直流電気の配線を敷設して様々な活用方法も可能である、どの様な事があっても従来使用している交流１００Ｖ回路とかに混同する事の無い接続部分とする事が重要な課題であった。
【０００５】
この改善策として、配線を構成できる様に電線接続器具１０を提供し、組み合わせ配線ができるケーブル並びに分岐接続できる製品を提供することである。
図１は電線接続器具１０の組付けを示す説明図で、同じ形状の平板二枚を合わせ中心部で一定形状に折り曲げた折り板１と、底板２も同じ形状に折り曲げこの底板２にＵ字形状の電極（＋）４を折り曲げ部の近辺両側に同一間隔で二ヶ所電極固定金具５を用いて貫通固定する、同じくＵ字形状の電極（−）３を折り曲げ部の両外側の内側に同一間隔で二ヶ所電極固定金具５を用いて貫通固定する、折り板１二枚と底板２を結合しＵ字形状とし折り板１側面の一方向側にケーブル固定金具６を固定し、ケーブル９の電線（＋）７は電極（＋）４の電極固定金具５に接合し、電線（−）８は電極（−）３の電極固定金具５に接合しケーブル固定金具６取り付けのカバー６Ｂを閉じて完成する。
図２は同一形状の電線接続器具１０が互いに接続する寸前の状況を示している。
図３は同一形状の電線接続器具１０が互いに接合した状態で電極（＋）４部分の断面詳細を示す説明図であって、互いの折り板１が双方のＵ字形状空間に入り込む、この状態で互いの電極（＋）４は電極の接合部分４Ａの状態となり電極同士接合される、電極（−）３も電極同士接合される、互いの折り板１は二枚の内どちら側が入っても電極は接合される。
図４は電線接続器具１０を用いて配線実施方法を示した説明図であり、太陽光パネル１４で日中発電された電気は充放電コントローラ１５を介してバッテリー１６に充電され、この充電された電気を誰でも有効に活用できる様にする為、機器接続ケーブル１３、直線接続ケーブル１２、分岐接続器具１１、を作り組み合わせによって配線を構成し照明器具１７を点灯し携帯用通信機器１８を充電しと、自然エネルギーを有効活用でき資源エネルギー削減に寄与できる事である。
【先行技術文献】
【特許文献】
【０００６】
【特許文献１】特開２００４−１７２０８０号公報
【非特許文献】
【０００７】
【非特許文献１】都筑  建著  「ベランダ太陽光発電」合同出版  ２０１１年
【発明の概要】
【発明が解決しようとする課題】
【０００８】
解決しようとする問題点は、特に集合住宅、高層住宅など常に多くの方々が居住する建物において且つ其々の居住部分に、太陽光パネルで発電し充電されたバッテリーの電気を効率よく部屋の明かり等に使用できる様に、特別な技術とか工具も必要せず居住している方々でも簡単に組合せ配線でき、エネルギーの削減と工事費の削減に寄与できる事である。
【課題を解決するための手段】
【０００９】
本発明は、低圧３０Ｖ以下の直流電気の配線を敷設するに際して、電圧の種類別に電線接続器具１０を色分し目視で確認ができ、且つ電圧の種類別に電線接続器具１０の形状が異なり、同一形状のみしか接続できず他の器具類とは接続ができない事が最も主要な特徴とする。
【発明の効果】
【００１０】
本発明の電線接続器具は、直流２４Ｖ、直流１２Ｖ、或いはその他の電圧で使用されている機器がありますが、現状では直流の配線を敷設している建物或いは事務所若しくは部屋は無く、商用の交流１００Ｖ配線しか無く直流の機器類も交流１００Ｖ用に変換されて使用している状況で、変換による無駄があり効率が悪い、直流の電気配線を敷設しておけば効率よく直流機器の使用ができ、電線接続器具の色分け電圧の種別が目視で確認ができ尚且つ誤接続は無く、誰でもが簡単に利用できる利点がある。
【図面の簡単な説明】
【００１１】
【図１】図１は電線接続器具の組付けを示した説明図である。    （実施例１）
【図２】図２は電線接続器具の結合方法示した説明図である。    （実施例２）
【図３】図３は電線接続器具の結合時の電極部分断面図である。  （実施例３）
【図４】図４は電線接続器具の配線実施方法を示した図である。  （実施例４）
【発明を実施するための形態】
【００１２】
電線接続器具は、折り板の形状を変える事により誤接続の防止と色分けにより電圧種別の選択と、互いに挿入組合せ方式の接続器具でありながら充電部分は露出しない形状と、極性（＋）と極性（ー）との誤接続の防止と、最小の部品点数で小型に実現した。
【実施例１】
【００１３】
図１は、本発明の１実施例の組付け方法を示した図であって、同じ形状の平板二枚を中心部で一定の形状で折り曲げた折り板１と、同じ形状で折り曲げた底板２に電極（＋）４を折り曲げ部近辺両側に同一間隔で二ヶ所電極固定金具５を用いて貫通固定する、同じく電極（−）３を折り曲げ部から両外側の内側に同一間隔で二ヶ所電極固定金具５を用いて貫通固定する、折り板１二枚と底板２と結合しＵ字形状を形成し折り板１側面の一方向側にケーブル固定金具６を固定し、ケーブル９の電線（＋）７は電極（＋）４の電極固定金具５に接合し、電線（−）８は電極（−）３の電極固定金具５に接合し、ケーブル固定金具６取り付けのカバー６Ｂを閉じて完成する、折り板１の側面一部に凹部分１Ａを設けケーブル固定金具６の一部に凸部分６Ａを設けこの電線接続金具１０が結合時互いに組合わされ外れづらく安定する。
【００１４】
折り板１の折り曲げ形状は、Ｖ字形状、逆Ｖ字形状、Ｍ字形状、Ｗ字形状等、折り曲げ部から左右対称の形状を有している、形状違いは結合出来ない為形状によって使用電圧を決め電線接続器具１０を色分けする事により使用電圧を目視でき機器の誤接続の防止ができる。
【実施例２】
【００１５】
図２は、本発明の結合方法を示した図であって、同一形状の電線接続器具１０同士折り板１が互いのＵ字形状の隙間に挿入する状況を示し、互いの折り板１のどちら側が挿入されても結合できる。
【実施例３】
【００１６】
図３は、同一形状の電線接続器具１０が互いに結合時の電極部分断面図で、電線接続器具１０の折り板１が互いのＵ字形状の隙間に入り互いの電極（＋）４が接合、電極の接合部分４Ａ状況となり電極（−）３も接合、電線接合器具１０は互いに接合した状況の一例を示す。
【実施例４】
【００１７】
このように、電線接続金具１０を用い機器接続ケーブル１３、直線接続ケーブル１２、電線接続器具１０数個の電極（＋）同士並びに電極（−）同士を接続した分岐接続器具１１を用いて、誰でも簡単に特別な工具を必要とせず直流専用の配線を構成できる。
集合住宅、高層住宅等のベランダに太陽光パネル１４を取付け充放電コントローラ１５介しバッテリー１６に充電し、夜間などにバッテリー１６の電気を照明器具１７に供給し明りを確保とか携帯用通信機器１８の充電に供給できる、集合住宅とか高層住宅の屋上には各戸用の太陽光パネル１４を設置する広さもなく又屋上から各戸に配線する事は難しい、そこで各戸のベランダに太陽光パネル１４を取付け負荷容量の小さいＬＥＤ照明とか有機ＥＬ照明を点灯させ、居住一部の明りを確保し資源エネルギーの削減と災害時には安全確保につながる。
【産業上の利用可能性】
【００１８】
居住部分等に低圧３０Ｖ以下の直流電気の配線を新たに誰でも簡単に敷設でき、バッテリーに蓄積した電源を有効に活用できる様にする事である。
【符号の説明】
【００１９】
１      折り板
１Ａ    凹部分
２      底板
３      電極（−）
４      電極（＋）
４Ａ    電極の接合部分
５      電極固定金具
６      ケーブル固定金具
６Ａ    凸部分
６Ｂ    カバー
７      電線（＋）
８      電線（−）
９      ケーブル
１０    電線接続器具
１１    分岐接続器具
１２    直線接続ケーブル
１３    機器接続ケーブル
１４    太陽光パネル
１５    充放電コントローラ
１６    バッテリー
１７    照明器具
１８    携帯用通信機器
１９    建物の壁
【図１】
2013191410.tif 000003
【図２】
2013191410.tif 000004
【図３】
2013191410.tif 000005
【図４】
2013191410.tif 000006